(57)【要約】【課題】インクジェットヘッドの吐出口から吐き出されたインク滴を記録媒体に付着させて該記録媒体に画像を形成するインクジェット記録装置において、インクジェットヘッドの下側に詰まった記録媒体を容易に除去できるようにする。【解決手段】インクジェット記録装置の装置筐体１が、筐体本体３０と、この筐体本体３０に対して開閉可能に支持された開閉体３１とを具備し、その開閉体３１にインクジェットヘッド３を支持し、インクジェットヘッド３とプラテン１６の間に記録媒体が詰まったとき、開閉体３１を開き、インクジェットヘッド３をプラテン１６から大きく離間させて、詰まった記録媒体を除去する。【選択図】　図２
2004009404.tif 000002
【特許請求の範囲】
【請求項１】
インクジェットヘッドの吐出口から吐き出されたインク滴を記録媒体に付着させて該記録媒体に画像を形成するインクジェット記録装置において、該記録装置の装置筐体が、筐体本体と、該筐体本体に対して開閉可能に支持された開閉体とを具備し、該開閉体に前記インクジェットヘッドが支持されていることを特徴とするインクジェット記録装置。
【請求項２】
前記開閉体を開いたとき、記録媒体搬送路の少なくとも一部が開放されるように、該開閉体に対するインクジェットヘッドの位置が定められている請求項１に記載のインクジェット記録装置。
【請求項３】
前記開閉体は、前記装置筐体の幅方向側部に配置されている請求項１又は２に記載のインクジェット記録装置。
【請求項４】
前記開閉体は、その下部を支点として回動開閉可能に筐体本体に支持されている請求項１乃至３のいずれかに記載のインクジェット記録装置。
【請求項５】
前記開閉体は、装置筐体の奥側の部位を支点としてほぼ水平方向に回動開閉可能に筐体本体に支持されている請求項１乃至３のいずれかに記載のインクジェット記録装置。
【請求項６】
前記開閉体は、前記筐体本体から分離可能に該筐体本体に支持されている請求項１乃至３のいずれかに記載のインクジェット記録装置。
【請求項７】
原稿画像を読み取る画像読取装置が前記インクジェットヘッドよりも上方に配置され、該インクジェットヘッドよりも下方に給紙部が配置されていて、該給紙部にセットされた記録媒体を、前記画像読取装置による画像読み取り方向に対してほぼ平行な第１の方向に送り出し、次いで該記録媒体の搬送方向を反転させて当該記録媒体を前記第１の方向とほぼ反対向きの第２の方向に搬送して、前記インクジェットヘッドにより当該記録媒体に画像を形成し、引き続き該記録媒体を排紙部に排出するように構成すると共に、前記画像読取装置と前記給紙部との間の空間を前記排紙部とした請求項１乃至６のいずれかに記載のインクジェット記録装置。
【請求項８】
前記給紙部から送り出された記録媒体の搬送方向が反転するように、該記録媒体を案内するガイドを有し、該ガイドは前記開閉体に取り付けられている請求項７に記載のインクジェット記録装置。
【請求項９】
前記インクジェットヘッドが、記録媒体の搬送方向に対して直交する方向に移動可能に支持されたシャトルタイプのヘッドより成り、該インクジェットヘッドにインクタンクが着脱自在に搭載されていると共に、当該インクジェットヘッドのホームポジションが装置筐体の手前側の位置に設定され、インクタンクが空となったことが検知されたとき、インクジェットヘッドが自動的に前記ホームポジションに移動するように構成されている請求項１乃至８のいずれかに記載のインクジェット記録装置。
【請求項１０】
前記開閉体は、前記インクジェットヘッドに関して、前記排紙部と反対側の装置筐体幅方向側部に配置され、該開閉体に、前記インクジェットヘッドによって画像を形成する画像形成部へ記録媒体を送り込むための挿入口が形成されている請求項１乃至９のいずれかに記載のインクジェット記録装置。
【発明の詳細な説明】
【０００１】
【発明の属する技術分野】
本発明は、インクジェットヘッドの吐出口から吐き出されたインク滴を記録媒体に付着させて該記録媒体に画像を形成するインクジェット記録装置に関する。
【０００２】
【従来の技術】
複写機、プリンタ、ファクシミリ或いはこれらの少なくとも２つの機能を備えた複合機などとして構成されるインクジェット記録装置は従来より周知である。従来のインクジェット記録装置の装置筐体は、インクジェットヘッドが支持された下部筐体と、該下部筐体に対して上方に開放可能に支持された上部筐体とを有していて、記録媒体搬送路中にて記録媒体が詰まったとき、上部筐体を上方に開いてその詰まった記録媒体を除去できるように構成されている。ところが、インクジェットヘッドの下側に記録媒体が詰まった場合には、上部筐体を上方に開いて、下部筐体の内部をその上方から覗き込んでも、インクジェットヘッドが邪魔となって詰まった記録媒体を目視できないため、記録媒体を除去することが容易でない。またインクジェットヘッドの下側に詰まった記録媒体を無理に引き出すと、その記録媒体が破れ、記録媒体の小片がインクジェットヘッドの下に残ってしまうおそれもある。
【０００３】
【発明が解決しようとする課題】
本発明の目的は、上記従来の欠点を除去し、詰まった記録媒体を容易に除去できるインクジェット記録装置を提供することにある。
【０００４】
【課題を解決するための手段】
本発明は、上記目的を達成するため、冒頭に記載した形式のインクジェット記録装置において、該記録装置の装置筐体が、筐体本体と、該筐体本体に対して開閉可能に支持された開閉体とを具備し、該開閉体に前記インクジェットヘッドが支持されていることを特徴とするインクジェット記録装置を提案する（請求項１）。
【０００５】
また、上記請求項１に記載のインクジェット記録装置において、前記開閉体を開いたとき、記録媒体搬送路の少なくとも一部が開放されるように、該開閉体に対するインクジェットヘッドの位置が定められていると有利である（請求項２）。
【０００６】
さらに、上記請求項１又は２に記載のインクジェット記録装置において、前記開閉体は、前記装置筐体の幅方向側部に配置されていると有利である（請求項３）。
【０００７】
また、上記請求項１乃至３のいずれかに記載のインクジェット記録装置において、前記開閉体は、その下部を支点として回動開閉可能に筐体本体に支持されていると有利である（請求項４）。
【０００８】
さらに、上記請求項１乃至３のいずれかに記載のインクジェット記録装置において、前記開閉体は、装置筐体の奥側の部位を支点としてほぼ水平方向に回動開閉可能に筐体本体に支持されていると有利である（請求項５）。
【０００９】
また、上記請求項１乃至３のいずれかに記載のインクジェット記録装置において、前記開閉体は、前記筐体本体から分離可能に該筐体本体に支持されていると有利である（請求項６）。
【００１０】
さらに、上記請求項１乃至６のいずれかに記載のインクジェット記録装置において、原稿画像を読み取る画像読取装置が前記インクジェットヘッドよりも上方に配置され、該インクジェットヘッドよりも下方に給紙部が配置されていて、該給紙部にセットされた記録媒体を、前記画像読取装置による画像読み取り方向に対してほぼ平行な第１の方向に送り出し、次いで該記録媒体の搬送方向を反転させて当該記録媒体を前記第１の方向とほぼ反対向きの第２の方向に搬送して、前記インクジェットヘッドにより当該記録媒体に画像を形成し、引き続き該記録媒体を排紙部に排出するように構成すると共に、前記画像読取装置と前記給紙部との間の空間を前記排紙部とすると有利である（請求項７）。
【００１１】
また、上記請求項７に記載のインクジェット記録装置において、前記給紙部から送り出された記録媒体の搬送方向が反転するように、該記録媒体を案内するガイドを有し、該ガイドは前記開閉体に取り付けられていると有利である（請求項８）。
【００１２】
さらに、上記請求項１乃至８のいずれかに記載のインクジェット記録装置において、前記インクジェットヘッドが、記録媒体の搬送方向に対して直交する方向に移動可能に支持されたシャトルタイプのヘッドより成り、該インクジェットヘッドにインクタンクが着脱自在に搭載されていると共に、当該インクジェットヘッドのホームポジションが装置筐体の手前側の位置に設定され、インクタンクが空となったことが検知されたとき、インクジェットヘッドが自動的に前記ホームポジションに移動するように構成されていると有利である（請求項９）。
【００１３】
また、上記請求項１乃至９のいずれかに記載のインクジェット記録装置において、前記開閉体は、前記インクジェットヘッドに関して、前記排紙部と反対側の装置筐体幅方向側部に配置され、該開閉体に、前記インクジェットヘッドによって画像を形成する画像形成部へ記録媒体を送り込むための挿入口が形成されていると有利である（請求項１０）。
【００１４】
【発明の実施の形態】
以下、本発明の実施形態例を図面に従って説明し、併せて前述の従来の欠点を図面に即してより具体的に明らかにする。
【００１５】
図１はインクジェット記録装置を斜め前方から見た斜視図であり、図２は図１に示したインクジェット記録装置の概略垂直断面図、図３はインクジェット記録装置を図１とは異なった向きの斜め前方から見た斜視図である。図２における太線は、これが断面であることを表わしている。
【００１６】
図１乃至図３に符号１で示したものは、インクジェット記録装置の装置筐体であり、インクジェット記録装置を操作するオペレータ（図示せず）が通常の姿勢で装置筐体１に向き合ったとき、当該オペレータに対向する側が装置筐体１の手前側Ｆ、すなわち正面側であり、これとは反対の側が装置筐体１の奥側Ｒ、すなわち後部側である。また、この前後方向と直交する方向、すなわち装置筐体１に向き合ったオペレータの左右方向が装置筐体１の幅方向Ｗである。本例のインクジェット記録装置は、複写機のほかに、プリンタとファクシミリの機能を備えた複合機として構成されている。
【００１７】
図２に示すように、装置筐体１の内部には、後述するように原稿画像を読み取る画像読取装置２と、インクジェットヘッド３と、給紙部４とがそれぞれ設けられている。画像読取装置２はインクジェットヘッド３よりも上方に配置され、給紙部４はインクジェットヘッド３よりも下方に配置されている。また、装置筐体１の最上部には、コンタクトガラス５が固定され、画像読取装置２はコンタクトガラス５の下方に配置されている。コンタクトガラス５の上面に載置された原稿Ｄは、圧板６によって押えられる。また、図１に示すように、装置筐体１の手前側Ｆの部位に操作表示部２５が設けられている。
【００１８】
画像読取装置としては各種形式の装置を用いることができるが、図に一例として示した画像読取装置２は、光源７と、ロッドレンズアレイ８と、等倍型のカラーイメージセンサ９と、これらの要素を収容するケース１０とを有し、その全体が一体的なユニットとして構成されている。かかる画像読取装置２は、装置筐体１に固定されたガイドロッド１１に、装置筐体１の幅方向Ｗに移動可能に支持されている。画像読み取り時に、画像読取装置２は、図２に示したホームポジションから矢印Ａ方向に移動し、このとき光源７からの光がコンタクトガラス５上の原稿Ｄを照明し、その原稿からの反射光がロッドレンズアレイ８を通してカラーイメージセンサ９に集光し、ここで原稿画像が読み取られる。
【００１９】
一方、本例の給紙部４は、シート状の記録紙などから成る記録媒体Ｐを収容した給紙カセット１２を有し、最上位の記録媒体に当接した給紙ローラ１３が図２における反時計方向に回転駆動されることにより、その最上位の記録媒体が矢印Ｂ方向に送り出される。この方向Ｂは、画像読取装置２による画像読み取り方向Ａとほぼ平行な方向であり、この方向を第１の方向とする。給紙部４にセットされた記録媒体Ｐは、画像読取装置２による画像読み取り方向Ａに対してほぼ平行な第１の方向Ｂに送り出されるのである。次いで、この記録媒体Ｐは、ガイド１４の湾曲したガイド面１５に案内されながら、その搬送方向を反転され、記録媒体を介して給紙ローラ１３に圧接した搬送ローラ１８により、第１の方向とほぼ反対向きの第２の方向Ｃに搬送され、インクジェットヘッド３と板状のプラテン１６との間に送り込まれる。
【００２０】
本例のインクジェットヘッド３は、図４にも示すように、装置筐体１に対して固定されたガイドシャフト１７に沿って移動可能に支持されたシャトルタイプのヘッドとして構成されている。画像形成時にプラテン１６上の記録媒体Ｐは一旦停止し、このときインクジェットヘッド３は、図示していない駆動装置によって、ガイドシャフト１７に案内されながら、そのホームポジションから、記録媒体Ｐの移動方向Ｃに対して直交する方向Ｅに移動する。そして、画像読取装置２で読み取られた画像情報に対応して、インクジェットヘッド３の図示していない吐出口からインク滴が吐き出され、そのインク滴が記録媒体に付着し、該記録媒体上にインクによるカラー画像が形成される。かかるインクジェットヘッド３の一度の動作によって所定のライン数の画像形成が行われ、その動作を終了すると、インクジェットヘッド３は再びガイドシャフト１７に沿ってホームポジションに戻される。この復動時に、記録媒体は所定量搬送されて再び停止し、インクジェットヘッド３が再度ホームポジションから矢印Ｅ方向に移動して、所定ライン数の画像形成を行う。図４に符号２１で示したものは、インクジェットヘッド３に交換可能にセットされたインクタンクである。
【００２１】
上述のように、インクジェット記録装置は、インクジェットヘッド３の吐出口から吐き出されたインク滴を記録媒体に付着させて該記録媒体に画像を形成するように構成され、本例のインクジェット記録装置においては、インクジェットヘッド３として、記録媒体への画像形成のために、記録媒体の搬送方向に対して直交する方向に移動可能に支持されたシャトルタイプのヘッドが用いられている。記録媒体Ｐは、かかるインクジェットヘッド３により画像を形成され、引き続き、図２に矢印で示す方向に回転駆動される排紙ローラ１９によって、矢印Ｇで示す如く排紙部２０に排出される。図２には、排紙部２０に排出された記録媒体に符号ＰＡを付して示してある。
【００２２】
排紙部２０は、画像読取装置２と給紙部４との間の空間により形成され、この排紙部空間は、当該空間とインクジェットヘッド３が設けられた空間とを仕切る仕切壁１Ａと、画像読取装置２の下方に位置する装置筐体壁１Ｂと、給紙部４の上方に位置する装置筐体壁１Ｃと、奥側の装置筐体壁１Ｄとにより区画されている。給紙部上方の装置筐体壁１Ｃによって、排紙部２０に排出された記録媒体を載置する記録媒体載置面が構成されている。排紙部２０の手前側と、インクジェットヘッド３が位置する側と反対側の側部（図２における左側部分）は開放されており、オペレータがこれらの開放部から手を入れて、装置筐体壁１Ｃ上、すなわち記録媒体載置面上に排出された記録媒体ＰＡを容易に取り出すことができる。
【００２３】
ところで、給紙部４から排紙部２０へ向けて搬送される記録媒体が、その搬送路中にて詰まってしまうことがある。かかるジャムが発生した場合、装置の作動が停止され、操作表示部２５に、詰まった記録媒体を除去すべき表示がなされる。
【００２４】
図５は、インクジェットヘッド３とプラテン１６との間に記録媒体が詰まったときの様子を示し、この図では詰まった記録媒体に符号ＰＣを付してある。以下の説明では、必要に応じて、詰まった記録媒体を単にジャム紙と称することにする。
【００２５】
ここで、従来のインクジェット記録装置においては、図２に示すように、装置筐体１を、インクジェットヘッド３が支持された下部筐体Ｘ１と、上部筐体Ｘ２とに分け、ジャム発生時に、上部筐体Ｘ１を図２に鎖線矢印Ｍで示すように上部筐体Ｘ１を上方に回動させて下部筐体Ｘ２の上部を開放し、その上部から下部筐体Ｘ１内に手を入れてジャム紙ＰＣ（図５）を除去できるように構成されていた。ところが、この構成によると、先にも説明したように、インクジェットヘッド３の下側に記録媒体が詰まった場合、図５からも判るように、下部筐体Ｘ１の内部をその上方から覗き込んでも、インクジェットヘッド３が邪魔となってジャム紙ＰＣを明確に目視できず、ジャム紙を除去することは容易ではなかった。しかもそのジャム紙ＰＣを無理に引っ張ると、当該ジャム紙が破れ、その小片がインクジェットヘッド３とプラテン１６の間に残ってしまうおそれもあった。
【００２６】
そこで、本例のインクジェット記録装置においては、当該記録装置の装置筐体１が、筐体本体３０と、この筐体本体３０に対して開閉可能に支持された開閉体３１とを具備し、この開閉体３１にインクジェットヘッド３が支持されている。図２及び図３は開閉体３１が閉位置を占め、筐体本体３０に形成された開口３３を閉鎖したときの状態を示し、図６は開閉体３１が開位置を占め、筐体本体３０の開口３３を開放したときの様子を示している。図６から判るように、開閉体３１には、一対のブラケット３２が固定され、インクジェットヘッド３を支持したガイドシャフト１７がこれらのブラケット３２に固定されていると共に、搬送ローラ１８が両ブラケット３２に回転自在に支持されている。従って、開閉体３１を図６に示すように開くと、インクジェットヘッド３はプラテン１６から大きく離間し、搬送ローラ１８も給紙ローラ１３から大きく離れ、給紙ローラ１３からプラテン１６に至る記録媒体搬送路が外部に対して開放される。このように、開閉体３１を開いたとき、記録媒体搬送路の少なくとも一部が開放されるように、開閉体３１に対するインクジェットヘッド３の位置が定められているのである。
【００２７】
上述のように、開閉体３１を開位置にもたらすことによって記録媒体搬送路を開放できるので、筐体本体３０の開口３３を通してジャム紙の様子を直に目視でき、当該開口３３から筐体本体３０内に手を入れて容易にそのジャム紙を除去することができる。また仮にジャム紙が破れたとしても、その小片も明瞭に目視できるので、当該ジャム紙の小片を確実に除去することができる。
【００２８】
また、開閉体３１は、装置筐体１の幅方向Ｗにおける側部に配置されている。このため、オペレータは装置筐体１の正面に向いたままの姿勢であっても、ジャム紙を楽に除去でき、その操作性が高められる。
【００２９】
図６に示した例では、開閉体３１が、その下部を支点として矢印Ｉ方向に回動開閉可能に筐体本体３０に支持されているが、図７に示すように、開閉体３１を、装置筐体１の奥側Ｒの部位を支点として、矢印Ｊで示す如くほぼ水平方向に回動開閉可能に筐体本体３０に支持することもできる。図７に示したインクジェット記録装置の他の構成は、図１乃至図６に示したインクジェット記録装置と変りはない。図７には、図６に対応する部分に、図６に付した符号と同じ符号を付してある。また、図３に矢印Ｋで示すように、開閉体３１を筐体本体３０に対して水平方向に引いて、その開閉体３１を筐体本体３０から分離できるように、当該開閉体３１を筐体本体３０に支持することもできる。
【００３０】
開閉体３１を図６に示すように支持した場合、その開閉体３１の開放角度θが９０°よりも小さくとも、ジャム紙の除去作業を行うことが可能である。このように開閉体３１を開いたときの開放角度θを９０°よりも小さくすれば、開閉体３１が筐体本体３０から突出する量Ｌ１を小さくすることができ、従ってインクジェット記録装置の隣りに図示していない他の物があり、その物と筐体本体３０との間の隙間が狭いときも開閉体３１を開いてジャム処理を行うことができる。
【００３１】
これに対し、開閉体３１を図７に示すように支持した場合には、開閉体３１の開放角度θが９０°、ないしは９０°近くとなるように、当該開閉体３１を開いてジャム紙の除去作業を行うのが普通であるため、開閉体３１が筐体本体３０から突出する量Ｌ２は図６の場合よりも多少、大きくなるが、筐体本体３０の開口３３を通して筐体本体３０の内部を水平方向に覗き込み、その内部に水平方向に手を入れることができるので、その視認性と作業能率を高めることができる。図６の場合には、筐体本体３０の内部を、開口３３を通して上方から覗き込み、上方から筐体本体３０の内部に手を入れる必要があるため、その視認性と作業能率が多少、低下する。
【００３２】
また、開閉体３１を筐体本体３０から分離できるように構成した場合には、筐体本体３０の内部の視認性とジャム紙の除去能率がより一層高められるが、開閉体３１を着脱する作業が多少、煩雑となる。このように、開閉体３１のいずれの支持態様にも、有利な点と不利な点がある。
【００３３】
ところで、本例のインクジェット記録装置においては、前述のように、原稿画像を読み取る画像読取装置２がインクジェットヘッド３よりも上方に配置され、該インクジェットヘッド３よりも下方に給紙部４が配置されていて、該給紙部４にセットされた記録媒体Ｐを、画像読取装置２による画像読み取り方向に対してほぼ平行な第１の方向Ｂに送り出し、次いでその記録媒体Ｐの搬送方向を反転させて当該記録媒体Ｐを上記第１の方向Ｂとほぼ反対向きの第２の方向Ｃに搬送して、インクジェットヘッド３により当該記録媒体Ｐに画像を形成し、引き続き該記録媒体Ｐを排紙部４に排出するように構成され、しかも画像読取装置２と給紙部４との間の空間が排紙部４として構成されている。このように、画像読取装置２と給紙部４との間の空間を排紙部２０としたので、装置筐体１の側方に大きく張り出した排紙トレイを設ける必要はなく、これによって装置全体のサイズを小型化することができる。また、給紙部４から送り出された記録媒体Ｐの搬送方向が反転するように、該記録媒体Ｐを案内するガイド１４が設けられており、該ガイド１４も開閉体３１に取り付けられている。このため、ガイド１４により形成される記録媒体搬送路に記録媒体が詰まったときも、そのジャム紙を開閉体３１を開くことにより容易に取り除くことができる。特に、図示した例では、給紙ローラ１３が筐体本体３０の側に支持されているので、図６及び図７に示したように開閉体３１を開くと、給紙ローラ１３とガイド１４との間の記録媒体搬送路も開放され、ここに詰まったジャム紙を容易に除去することができる。
【００３４】
ところで、図４に示したように、インクジェットヘッド３に着脱可能に搭載されたインクタンク２１に収容されているインクは、インクジェットヘッド３の吐出口に供給されて消費されるので、そのタンク２１が空となったときは、これをインクの充填された新たなインクタンクと交換する必要がある。すなわち、インクタンク２１のインクが空となったことが図示していないセンサにより検知されると、そのインクタンクを交換すべき表示が操作表示部２５になされ、オペレータはこの表示に従ってインクタンク２１を交換するのであるが、この場合も、図６及び図７に示すように開閉体３１を開くことにより、インクタンク２１を容易に交換することができる。その際、開閉体３１を開いたとき、インクジェットヘッド３が図６に示すように装置筐体１の手前側に位置していれば、装置筐体の正面を向いたオペレータのすぐ近くにインクジェットヘッド３が位置することになるので、オペレータはそのインクタンク２１に容易に手を伸ばしてこれを交換することができる。図７に示した例の場合も、開閉体３１を開いたとき、インクジェットヘッド３が筐体本体３０から離れた位置を占めていれば、オペレータは筐体本体３０に邪魔されずに、インクタンク２１を交換することができる。
【００３５】
そこで、本例のインクジェット記録装置においては、インクジェットヘッド３が、記録媒体Ｐの搬送方向に対して直交する方向に移動可能に支持されたシャトルタイプのヘッドより成り、そのインクジェットヘッド３にインクタンク２１が着脱自在に搭載されていると共に、このインクジェットヘッド３のホームポジションが装置筐体１の手前側の位置、すなわち図４に示した位置に設定され、しかもインクタンクが空となったことが検知されたとき、インクジェットヘッドが図示していない駆動装置によって自動的にホームポジションに移動するように構成されている。これにより、インクタンク２１を交換すべく、開閉体３１を開けば、インクジェットヘッド３は必ず図６及び図７に示した位置を占めており、オペレータは容易にインクタンク２１を交換することができる。
【００３６】
ところで、記録媒体としては、通常の記録紙などのほかに、厚紙、剥離紙、ＯＨＰシート、ＣＤ或いはＤＶＤの如きコンピュータメディアなどの特殊な記録媒体が用いられることもある。かかる記録媒体を特殊記録媒体と称することにすると、かかる特殊記録媒体を給紙部４の給紙カセット１２にセットして、これをインクジェットヘッド３による画像形成部に給送したとすると、その特殊記録媒体が第１の方向Ｂから第２の方向Ｃに方向転換するとき、当該特殊記録媒体に大きな外力が加えられ、その特殊記録媒体が搬送トラブルを起こし、場合によってはその特殊記録媒体が損傷するおそれもある。
【００３７】
そこで、本例のインクジェット記録装置においては、図２に示すように、開閉体３１が、インクジェットヘッド３に関して、排紙部２０と反対側の装置筐体幅方向側部に配置されていると共に、この開閉体３１に、インクジェットヘッド３によって画像を形成する画像形成部へ特殊記録媒体を送り込むための挿入口２２が形成されている。図２には、挿入口２２から送り込まれる記録媒体を鎖線で示し、かつ符号ＰＢを付してある。また、この図から判るように、挿入口２２を通して画像形成部に送り込まれる記録媒体ＰＢを載置する給紙テーブル２３が開閉体３１に支持されている。この給紙テーブル２３上に、図２に示す如く記録媒体ＰＢをセットし、給紙ローラ１３と搬送ローラ１８を回転させることにより、この記録媒体ＰＢを画像形成部に向けて送り出し、前述したところと全く同様にしてこの記録媒体ＰＢに画像を形成し、記録済みの記録媒体ＰＢを排紙部２０に排出させることができる。その際、記録媒体ＰＢは、給紙テーブル２３から排紙部２０までほぼ水平方向に搬送され、従ってこの記録媒体ＰＢが特殊記録媒体であっても、これが搬送トラブルを起こしたり、当該特殊記録媒体が損傷する不具合を防止できる。
【００３８】
給紙テーブル２３を装置筐体１に不動に固定してもよいが、給紙テーブル２３が、図２に実線で示すように、挿入口２２を開放する開位置と、図２に鎖線で示すように、挿入口２２を閉鎖する閉位置との間を回動可能に、当該給紙テーブル２３を開閉体３１に支持することもできる。例えば、給紙テーブル２３の下部を、図示していないピンを介して開閉体３１に回動開閉自在に支持するのである。このように構成すれば、給紙テーブル２３の非使用時にこれを鎖線で示した閉位置にもたらしておくことにより、挿入口２２を通して外部の塵などが装置筐体内に侵入することを防止でき、しかも給紙テーブル２３が邪魔となる不具合を阻止できる。
【００３９】
以上説明したインクジェット記録装置においては、給紙テーブル２３、ガイド１４、ガイドシャフト１７、搬送ローラ１８、インクタンク２１を搭載したインクジェットヘッド３及び一対のブラケット３２だけが開閉体３１の側に設けられ、他の要素は全て筐体本体３０の側に設けられているが、必要に応じて、筐体本体３０に設けられた要素の一部を開閉体３１に配置することもできる。
【００４０】
【発明の効果】
本発明によれば、開閉体を開くことによって、詰まった記録媒体を容易に除去することができる。
【図面の簡単な説明】
【図１】インクジェット記録装置の外観斜視図である。
【図２】図１に示したインクジェット記録装置の概略垂直断面図であって、従来のインクジェット記録装置の欠点の説明にも供した図である。
【図３】インクジェット記録装置を開閉体の側から見た外観斜視図である。
【図４】インクジェットヘッドの概略斜視図である。
【図５】インクジェットヘッドとプラテンとの間に記録媒体が詰まったときの様子を示す部分図である。
【図６】開閉体を開いたときの様子を示す斜視図である。
【図７】図６とは異なった態様で支持された開閉体を開いたときの様子を示す斜視図である。
【符号の説明】
１　装置筐体
２　画像読取装置
３　インクジェットヘッド
４　給紙部
１４　ガイド
２０　排紙部
２１　インクタンク
２２　挿入口
３０　筐体本体
３１　開閉体
Ｐ　記録媒体
ＰＢ　記録媒体
Ｒ　奥側
Ｗ　幅方向
【図１】
2004009404.tif 000003
【図２】
2004009404.tif 000004
【図３】
2004009404.tif 000005
【図４】
2004009404.tif 000006
【図５】
2004009404.tif 000007
【図６】
2004009404.tif 000008
【図７】
2004009404.tif 000009